(57)【要約】  塗布具は、開口部(１２４)を有する液剤容器(１３０)と、開口部(１２４)を覆うように液剤容器(１３０)に隣接して配置され、複数の繊維(１４０)が束ねられて構成された刷毛部材(１６０)とを備える。刷毛部材(１６０)は、液剤容器(１３０)側の根元部において筒状の形状を有し、かつ、上記根元部から液剤容器(１３０)側とは反対側の先端部に向けて薄くなって、上記先端部が楔状の形状を有する。
2018079219.tif 000002
【特許請求の範囲】
【請求項１】
開口部を有する液剤容器と、
前記開口部を覆うように前記液剤容器に隣接して配置され、複数の繊維が束ねられて構成された刷毛部材とを備え、
前記刷毛部材は、液剤容器側の根元部において筒状の形状を有し、かつ、前記根元部から前記液剤容器側とは反対側の先端部に向けて薄くなって、該先端部が楔状の形状を有する、塗布具。
【請求項２】
前記刷毛部材が前記先端部側から挿通され、前記液剤容器に固定される筒状部材をさらに備え、
前記刷毛部材の前記先端部側の一部は、前記筒状部材の液剤容器側とは反対側の一端部から前記筒状部材の外側に露出しており、
前記一端部は、楕円状の内周面を有し、
前記内周面は、前記刷毛部材の外周部と接している、請求項１に記載の塗布具。
【請求項３】
前記刷毛部材は、前記複数の繊維が一方の主面に接合された環状部材をさらに含み、
前記環状部材は、前記環状部材の内側の空間と前記開口部の内側の空間とが連続するように、前記液剤容器に隣接して配置されている、請求項１または請求項２に記載の塗布具。
【請求項４】
前記刷毛部材の前記先端部側の前記一部の長さの寸法は、前記刷毛部材の前記先端部側の前記一部の根元の幅の寸法より大きい、請求項２または請求項３に記載の塗布具。
【請求項５】
前記複数の繊維は、互いに長さが同等である、請求項１から請求項４のいずれか１項に記載の塗布具。
【請求項６】
請求項１から請求項５のいずれか１項に記載の塗布具と、
前記液剤容器に収容された薬液とを備える、薬液塗布具。
【発明の詳細な説明】
【技術分野】
【０００１】
本発明は、塗布具および薬液塗布具に関する。
【背景技術】
【０００２】
塗布具の構成を開示した先行文献として、特開２０１３−１３６３４号公報(特許文献１)および特開２００８−１６９１６３号公報(特許文献２)がある。【０００３】
特許文献１に記載された塗布具は、液剤容器および柱状刷毛部材を有する。柱状刷毛部材は、合成繊維を束ねて柱状に成形されており、液剤容器の開口部に設置されている。柱状刷毛部材の先端部分は、柱軸長手方向に対して垂直横方向に広がる扇状であり、柱状刷毛部材の先端に近づくに従って、柱軸長手方向に対して垂直縦方向の厚みが小さくなっている。【０００４】
特許文献２に記載された塗布具は、外用組成物を収容する収容部と、収容部を外部と連通する開口部と、開口部を覆うように設けられた多数のブラシ毛からなる塗布部とを備える。開口部は、円筒状のパイプにより形成されている。ブラシ毛は、開口部の周辺を覆っている。
【先行技術文献】
【特許文献】
【０００５】
【特許文献１】特開２０１３−１３６３４号公報
【特許文献２】特開２００８−１６９１６３号公報
【発明の概要】
【発明が解決しようとする課題】
【０００６】
特許文献１に記載された塗布具は、刷毛部材の先端部分が扇状に広がっており、刷毛部材の先端部が非常に柔らかいため、刷毛部材の先端部がばらけやすく、爪と皮膚との間の奥の方まで刷毛部材の先端部を届かせることが難しい。【０００７】
特許文献２に記載された塗布具は、刷毛部材の先端部が、刷毛部材の先端に近づくに従って薄くなる形状になっていないため、爪と皮膚との間の奥の方まで刷毛部材の先端部を届かせることが難しい。【０００８】
本発明は上記の問題点に鑑みてなされたものであって、液剤を塗布する際の刺激を低減しつつ、狭い隙間の奥まで液剤を届かせることができる、塗布具および薬液塗布具を提供することを目的とする。
【課題を解決するための手段】
【０００９】
本発明に基づく塗布具は、開口部を有する液剤容器と、開口部を覆うように液剤容器に隣接して配置され、複数の繊維が束ねられて構成された刷毛部材とを備える。刷毛部材は、液剤容器側の根元部において筒状の形状を有し、かつ、上記根元部から液剤容器側とは反対側の先端部に向けて薄くなって、上記先端部が楔状の形状を有する。【００１０】
本発明の一形態においては、刷毛部材が先端部側から挿通され、液剤容器に固定される筒状部材をさらに備える。刷毛部材の上記先端部側の一部は、筒状部材の液剤容器側とは反対側の一端部から筒状部材の外側に露出している。上記一端部は、楕円状の内周面を有する。上記内周面は、刷毛部材の外周部と接している。【００１１】
本発明の一形態においては、刷毛部材は、複数の繊維が一方の主面に接合された環状部材をさらに含む。環状部材は、環状部材の内側の空間と上記開口部の内側の空間とが連続するように、液剤容器に隣接して配置されている。【００１２】
本発明の一形態においては、刷毛部材の上記先端部側の上記一部の長さの寸法は、刷毛部材の上記先端部側の上記一部の根元の幅の寸法より大きい。【００１３】
本発明の一形態においては、複数の繊維は、互いに長さが同等である。
本発明に基づく薬液塗布具は、上記のいずれかに記載の塗布具と、液剤容器に収容された薬液とを備える。
【発明の効果】
【００１４】
本発明によれば、液剤を塗布する際の刺激を低減しつつ、狭い隙間の奥まで液剤を届かせることができる。
【図面の簡単な説明】
【００１５】
【図１】本発明の一実施形態に係る塗布具の外観を示す斜視図である。
【図２】図１の塗布具をＩＩ−ＩＩ線矢印方向から見た断面図である。
【図３】図１の塗布具をＩＩＩ−ＩＩＩ線矢印方向から見た断面図である。
【図４】本発明の一実施形態に係る塗布具において、キャップが外れた状態を示す斜視図である。
【図５】本発明の一実施形態に係る塗布具の液剤容器に含まれる容器本体の形状を示す断面図である。
【図６】本発明の一実施形態に係る塗布具の液剤容器に含まれる注出口の形状を示す断面図である。
【図７】本発明の一実施形態に係る塗布具の刷毛部材が含む環状部材の外観を示す平面図である。
【図８】本発明の一実施形態に係る塗布具の刷毛部材の外観を示す側面図である。
【図９】図８の刷毛部材をＩＸ−ＩＸ線矢印方向から見た断面図である。
【図１０】本発明の一実施形態に係る塗布具の筒状部材の形状を、図２と同一の断面視にて示す断面図である。
【図１１】本発明の一実施形態に係る塗布具の筒状部材の形状を、図３と同一の断面視にて示す断面図である。
【図１２】比較例１に係る塗布具の刷毛部材の先端部側の一部の形状を示す平面図である。
【図１３】比較例１に係る塗布具の刷毛部材の先端部側の一部の形状を示す側面図である。
【図１４】比較例２に係る塗布具の刷毛部材の先端部側の一部の形状を示す平面図である。
【図１５】第１実験例において、塗布具の刷毛部材の先端部を狭い隙間に挿入している状態を示す断面図である。
【図１６】第２実験例の結果を示すグラフである。
【発明を実施するための形態】
【００１６】
以下、本発明の一実施形態に係る塗布具について図面を参照して説明する。以下の実施形態の説明においては、図中の同一または相当部分には同一符号を付して、その説明は繰り返さない。
【００１７】
図１は、本発明の一実施形態に係る塗布具の外観を示す斜視図である。図２は、図１の塗布具をＩＩ−ＩＩ線矢印方向から見た断面図である。図３は、図１の塗布具をＩＩＩ−ＩＩＩ線矢印方向から見た断面図である。図４は、本発明の一実施形態に係る塗布具において、キャップが外れた状態を示す斜視図である。
【００１８】
図１〜４に示すように、本発明の一実施形態に係る塗布具１００は、液剤容器１３０および刷毛部材１６０を備える。本実施形態においては、塗布具１００は、筒状部材１７０およびキャップ１８０をさらに備える。
【００１９】
図１，２に示すように、液剤容器１３０に収容される液剤が薬液１である薬液塗布具においては、薬液１として、たとえば、爪白癬治療用薬液または白癬治療用薬液が用いられる。爪白癬治療用薬液としては、エフィナコナゾール、タバボロール、ルリコナゾール、イトラコナゾール、テルビナフィン、アモルフィンまたはシクロピロクスなどを含有する薬液がある。白癬治療用薬液としては、ミコナゾール、イソコナゾール、イコナゾール、クロトリマゾール、ブテナフィン、ラノコナゾール、ケトコナゾール、エコナゾール、オキシコナゾール、グリセオフルビン、トルナフタート、ビホナゾール、ネチコナゾール、リラナフタートまたはトルシクラートなどを含有する薬液がある。なお、液剤容器１３０に収容される液剤は、上記の薬液１に限られず、他の液剤であってもよい。
【００２０】
液剤容器１３０は、液剤を収容する容器本体１１０と、容器本体１１０に取り付けられた注出口１２０とから構成されている。図５は、本発明の一実施形態に係る塗布具の液剤容器に含まれる容器本体の形状を示す断面図である。図６は、本発明の一実施形態に係る塗布具の液剤容器に含まれる注出口の形状を示す断面図である。
【００２１】
図２，３，５に示すように、容器本体１１０は、有底筒状の形状を有し、液剤を収容部１１１に収容し、先端部１１２が開口している。先端部１１２の外周に、キャップ１８０の内周に設けられている雌ねじ部と螺合する雄ねじ部１１３が設けられている。
【００２２】
図２，３，６に示すように、注出口１２０は、円環状の外形を有するフランジ部１２１、フランジ部１２１から突出して円筒状の外形を有する第１筒状部１２２、および、第１筒状部１２２側とは反対側にフランジ部１２１から突出して円筒状の外形を有する第２筒状部１２３を含む。
【００２３】
フランジ部１２１の中心部には、直径がＤ１である開口部１２４が設けられている。第２筒状部１２３に囲まれている部分のフランジ部１２１の表面１２５は、略平坦である。本実施形態においては、フランジ部１２１の外形、第１筒状部１２２、第２筒状部１２３および開口部１２４は、同軸上に位置している。第１筒状部１２２の外周面は、容器本体１１０の先端部１１２の内周面と嵌合している。これにより、注出口１２０と容器本体１１０とが一体になって液剤容器１３０を構成している。
【００２４】
図２，３，６に示すように、刷毛部材１６０は、開口部１２４を覆うように液剤容器１３０に隣接して配置され、複数の繊維１４０が束ねられて構成されている。なお、複数の繊維１４０の各々の材質は、同一に限られず、互いに異なる材質であってもよい。本実施形態においては、複数の繊維１４０は合成繊維である。また、複数の繊維１４０の各々の形状は、同一に限られず、互いに異なる形状であってもよい。
【００２５】
本実施形態においては、刷毛部材１６０は、複数の繊維１４０が一方の主面に接合された環状部材１５０をさらに含む。図７は、本発明の一実施形態に係る塗布具の刷毛部材が含む環状部材の外観を示す平面図である。図７に示すように、環状部材１５０の中心部には、直径がＤ３である開口部１５２が設けられている。図２，３に示すように、Ｄ３＜Ｄ１であってもよい。たとえば、Ｄ１＝４．０ｍｍ、Ｄ３＝２．０ｍｍである。ただし、Ｄ３≧Ｄ１であってもよい。環状部材１５０の一方の主面１５１に、接着剤により、複数の繊維１４０が接合されている。
【００２６】
図８は、本発明の一実施形態に係る塗布具の刷毛部材の外観を示す側面図である。図８においては、後述する筒状部材１７０の一端部１７４の先端の位置を一点鎖線Ｂで示している。図９は、図８の刷毛部材をＩＸ−ＩＸ線矢印方向から見た断面図である。図８，９に示すように、刷毛部材１６０は、根元部１４４において、円筒状の形状を有し、中心部に開口１４９が設けられている。
【００２７】
図１０は、本発明の一実施形態に係る塗布具の筒状部材の形状を、図２と同一の断面視にて示す断面図である。図１１は、本発明の一実施形態に係る塗布具の筒状部材の形状を、図３と同一の断面視にて示す断面図である。
【００２８】
図１０，１１に示すように、筒状部材１７０は、円筒部１７１、中空円錐台部１７２、および、円筒部１７１と中空円錐台部１７２との境界に位置する肩部１７３を含む。中空円錐台部１７２の先端寄りに位置する一端部１７４は、楕円状の内周面１７７を有する。内周面１７７において、長径の寸法はＨａであり、短径の寸法はＨｂである。円筒部１７１の末端寄りに位置する他端部１７５は、円状の内周面１７６を有する。内周面１７６の直径の寸法は、Ｈｃであり、内周面１７７の長径の寸法Ｈａより僅かに大きい。
【００２９】
図２，３に示すように、円筒部１７１の外周面は、注出口１２０の第２筒状部１２３の内周面と嵌合し、肩部１７３は、第２筒状部１２３の先端と接している。これにより、筒状部材１７０が液剤容器１３０に固定されている。
【００３０】
環状部材１５０は、環状部材１５０の内側の空間と開口部１２４の内側の空間とが連続するように、液剤容器１３０に隣接して配置されている。すなわち、環状部材１５０の開口部１５２と液剤容器１３０の開口部１２４とが重なるように、環状部材１５０がフランジ部１２１の表面１２５に隣接して配置されている。環状部材１５０の外周部は、フランジ部１２１の表面１２５と第２筒状部１２３の他端部１７５との間の隙間に位置している。
【００３１】
図２〜４に示すように、筒状部材１７０は、刷毛部材１６０が先端部側から挿通されている。刷毛部材１６０の先端部側の一部１４３は、筒状部材１７０の液剤容器１３０側とは反対側の一端部１７４から筒状部材１７０の外側に露出している。筒状部材１７０の内周面１７７は、刷毛部材１６０の外周部と接している。
【００３２】
図２〜４，１０に示すように、刷毛部材１６０は、液剤容器１３０側の根元部１４４において筒状の形状を有し、かつ、根元部１４４から液剤容器１３０側とは反対側の先端部に向けて薄くなって、先端部が楔状の形状を有する。
【００３３】
図４に示すように、刷毛部材１６０の先端部側の一部１４３の長さの寸法Ｌａは、刷毛部材１６０の先端部側の一部１４３の根元の幅の寸法Ｈａより大きい。刷毛部材１６０の先端部側の一部１４３の根元の幅の寸法Ｈａは、刷毛部材１６０の先端部側の一部１４３の根元の厚さの寸法Ｈｂより大きい。たとえば、Ｌａ＝１５ｍｍ、Ｈａ＝１０ｍｍ、Ｈｂ＝５ｍｍである。
【００３４】
本実施形態に係る塗布具１００においては、刷毛部材１６０が、根元部１４４において筒状の形状を有し、かつ、根元部１４４から先端部に向けて薄くなって、先端部が楔状の形状を有している。そのため、刷毛部材１６０の根元部は適度な剛性を有し、刷毛部材１６０の先端部は適度な柔軟性を有している。よって、刷毛部材１６０の先端部を狭い隙間の奥まで届かせることができるとともに、狭い隙間の奥に届いた際に刷毛部材１６０の先端部は容易に撓むことができる。
【００３５】
液剤容器１３０の開口部１２４から環状部材１５０の開口部１５２を通過して刷毛部材１６０の開口１４９内に浸入した液剤は、刷毛部材１６０の先端部側の一部１４３を通過して塗布対象に塗布される。従って、本実施形態に係る塗布具１００は、液剤を塗布する際の刺激を低減しつつ、狭い隙間の奥まで液剤を届かせることができる。
【００３６】
なお、環状部材１５０は、必ずしも設けられていなくてもよく、複数の繊維１４０の各々の末端が接着剤により互いに接合されているのみでもよい。また、刷毛部材１６０が上記の形状を筒状部材１７０によらずに維持できる場合には、筒状部材１７０が設けられていなくてもよい。この場合は、刷毛部材１６０が注出口１２０に接合される。
【００３７】
また、複数の繊維１４０は、互いに長さが同等であるため、刷毛部材１６０の製造が容易であり、塗布具１００の製造コストを低減できる。
【００３８】
(第１実験例)
ここで、塗布具の刷毛部材の先端部を狭い隙間に挿入した第１実験例について説明する。第１実験例においては、比較例１として、特許文献１に記載された塗布具と、比較例２として、フェルトペン状塗布具と、実施例１として、本実施形態に係る塗布具との、合計３種類の塗布具を用意した。
【００３９】
図１２は、比較例１に係る塗布具の刷毛部材の先端部側の一部の形状を示す平面図である。図１３は、比較例１に係る塗布具の刷毛部材の先端部側の一部の形状を示す側面図である。図１４は、比較例２に係る塗布具の刷毛部材の先端部側の一部の形状を示す平面図である。
【００４０】
図１２，１３に示すように、比較例１に係る塗布具の刷毛部材の先端部側の一部の寸法を、長さが８ｍｍ、根元の幅が４ｍｍ、先端の幅が６ｍｍ、先端の厚さが２ｍｍとした。図１４に示すように、比較例２に係る塗布具の刷毛部材の先端部側の一部の寸法を、長さが８ｍｍ、根元の直径が４．５ｍｍとし、先細部の長さを３ｍｍとした。
【００４１】
実施例１において、刷毛部材１６０の先端部側の一部１４３の寸法を、Ｌａ＝１０ｍｍ、Ｈｂ＝３．５ｍｍとした。図１５は、第１実験例において、実施例１に係る塗布具の刷毛部材の先端部を狭い隙間に挿入している状態を示す断面図である。
【００４２】
図１５に示すように、第１実験例においては、２枚のガラス板１０同士の隙間Ｍの間に、刷毛部材の先端部側の一部を矢印１方向に挿入し、その侵入長さＬＭを測定した。隙間Ｍは、０．１５ｍｍ、０．２ｍｍ、０．５ｍｍおよび１．０ｍｍの４種類とした。
【００４３】
【表１】
2018079219.tif 000003
【００４４】
表１は、第１実験例の結果をまとめたものである。表１に示すように、Ｍ＝０．１５ｍｍのときの侵入長さＬＭは、比較例１は０ｍｍ、比較例２は０ｍｍ、実施例１は５．０ｍｍであった。Ｍ＝０．２ｍｍのときの侵入長さＬＭは、比較例１は０．５ｍｍ、比較例２は０ｍｍ、実施例１は５．０ｍｍであった。Ｍ＝０．５ｍｍのときの侵入長さＬＭは、比較例１は２．０ｍｍ、比較例２は１．０ｍｍ、実施例１は６．０ｍｍであった。Ｍ＝１．０ｍｍのときの侵入長さＬＭは、比較例１は５．０ｍｍ、比較例２は１．５ｍｍ、実施例１は６．５ｍｍであった。
【００４５】
第１実験例の結果から、実施例１に係る塗布具１００は、比較例１および比較例２に係る塗布具に比べて、刷毛部材１６０の先端部を狭い隙間の奥まで届かせることができることが確認できた。
【００４６】
(第２実験例)
次に、環状部材１５０の開口部１５２の直径Ｄ３と液剤の塗布量との関係を検証した第２実験例について説明する。第２実験例においては、比較例１として、特許文献１に記載された塗布具と、実施例２として、直径Ｄ３が２．１ｍｍ、実施例３として、直径Ｄ３が２．０ｍｍ、実施例４として、直径Ｄ３が１．８ｍｍである、３種類の本実施形態に係る塗布具との、合計４種類の塗布具を用意した。
【００４７】
４種類の塗布具において、塗布対象に３０秒間塗布した後の塗布具の重量を測定することにより塗布量を測定した。上記の塗布を１０回行ない、各回の塗布量を平均して平均塗布量を算出した。算出された平均塗布量は、比較例の塗布具の平均塗布量を１．０として規格化した。
【００４８】
図１６は、第２実験例の結果を示すグラフである。図１６に示すように、平均塗布量は、実施例２は１．１６、実施例３は１．０、実施例４は１．０４であり、いずれの実施例においても、比較例と略同等の塗布量を得られることが確認できた。
【００４９】
第１実験例および第２実験例の結果から、本実施形態に係る塗布具は、狭い隙間の奥まで液剤を届かせることができることが確認できた。
【００５０】
なお、今回開示した上記実施形態および上記実施例はすべての点で例示であって、限定的な解釈の根拠となるものではない。したがって、本発明の技術的範囲は、上記した実施形態および実施例のみによって解釈されるものではなく、請求の範囲の記載に基づいて画定される。また、請求の範囲と均等の意味および範囲内でのすべての変更が含まれる。
【符号の説明】
【００５１】
１  薬液、１０  ガラス板、１００  塗布具、１１０  容器本体、１１１  収容部、１１２  先端部、１１３  雄ねじ部、１２０  出口、１２１  フランジ部、１２２  第１筒状部、１２３  第２筒状部、１２４，１５２  開口部、１２５  表面、１３０  液剤容器、１４０  繊維、１４３  先端部側の一部、１４４  根元部、１４９  開口、１５０  環状部材、１５１  主面、１６０  刷毛部材、１７０  筒状部材、１７１  円筒部、１７２  中空円錐台部、１７３  肩部、１７４  一端部、１７５  他端部、１７６，１７７  内周面、１８０  キャップ。
【図１】
2018079219.tif 000004
【図２】
2018079219.tif 000005
【図３】
2018079219.tif 000006
【図４】
2018079219.tif 000007
【図５】
2018079219.tif 000008
【図６】
2018079219.tif 000009
【図７】
2018079219.tif 000010
【図８】
2018079219.tif 000011
【図９】
2018079219.tif 000012
【図１０】
2018079219.tif 000013
【図１１】
2018079219.tif 000014
【図１２】
2018079219.tif 000015
【図１３】
2018079219.tif 000016
【図１４】
2018079219.tif 000017
【図１５】
2018079219.tif 000018
【図１６】
2018079219.tif 000019
【国際調査報告】
2018079219.tif 000020
2018079219.tif 000021
2018079219.tif 000022
2018079219.tif 000023